(57)【要約】【課題】実空間に存在する書籍のページをめくるような操作感をユーザーに提供しつつ電子書籍の複数のページの中から目的のページを捜す際の負担を軽減できる表示装置を提供する。【解決手段】表示装置１０は、電子書籍２０の複数のページＰを表示する表示部２１０と、表示部２１０の表示面への２つの接触点を検出するタッチパネル２２０と、２つの接触点間の距離を測定する接触点測定部１０１と、表示制御部１００とを備える。表示制御部１００は、２つの接触点のうちいずれかの接触点が移動したことに応じてページＰをめくり、移動した接触点が停止したことに応じてページＰをめくることを停止し、２つの接触点のうち停止した接触点と異なる接触点が移動したことに応じて、接触点が停止する前のめくり速度と異なるめくり速度でページＰをめくる。めくり速度は、２つの接触点間の距離に基づいて決定され、単位時間当たりにめくられるページＰの数である。【選択図】図１
2015111395.tif 000002
【特許請求の範囲】
【請求項１】
電子書籍の複数のページが表示される表示部と、
前記表示部の表示面への２つの接触点を検出する検出部と、
前記２つの接触点間の距離を測定する接触点測定部と、
前記２つの接触点のうちいずれかの接触点が移動したことに応じて前記ページをめくり、前記移動した接触点が停止したことに応じて前記ページをめくることを停止する表示制御部と
を備え、
前記表示制御部は、前記２つの接触点のうち前記停止した接触点と異なる接触点が移動したことに応じて、前記接触点が停止する前のめくり速度と異なるめくり速度で前記ページをめくり、
前記めくり速度は、前記２つの接触点間の距離に基づいて決定され、単位時間当たりにめくられる前記ページの数である、表示装置。
【請求項２】
前記異なるめくり速度は、前記接触点が停止する前の前記めくり速度より小さい、請求項１に記載の表示装置。
【請求項３】
前記表示制御部は、前記停止した接触点と異なる前記接触点が移動したことに応じて、前記接触点が停止する前のめくり方向と異なるめくり方向に前記ページをめくり、
前記めくり方向は、前記複数のページの末尾のページに向かう方向、又は前記複数のページの先頭のページに向かう方向である、請求項１又は請求項２に記載の表示装置。
【請求項４】
前記表示制御部は、閲覧モード及び検索モードを有し、
前記検索モードにおいて、前記表示部には、前記複数のページが起立した状態で表示され、
前記検索モードにおいて、前記表示制御部は、前記ページをめくる制御を実行し、
前記閲覧モードにおいて、前記表示部には、前記複数のページから選択されたページが前記表示面に対して平行な状態で表示され、
前記表示制御部は、前記閲覧モードにおいて前記検出部が前記２つの接触点を検出したことに応じて、モードを前記閲覧モードから前記検索モードへ切り替える、請求項１から請求項３のいずれか１項に記載の表示装置。
【請求項５】
前記表示制御部は、前記検索モードにおいて前記検出部が前記２つの接触点を検出した状態から前記複数の接触点を検出しない状態への遷移を検出したことに応じて、モードを前記検索モードから前記閲覧モードへ切り替える、請求項４に記載の表示装置。
【請求項６】
前記表示制御部は、前記接触点の移動量が閾値以上であると判定したことに応じて前記ページをめくる、請求項１から請求項５のいずれか１項に記載の表示装置。
【請求項７】
請求項１から請求項６のいずれか１項に記載の表示装置と、
前記複数のページから選択されたページの画像をシートに形成する画像形成部と
を備える、画像形成装置。
【請求項８】
電子書籍の複数のページを表示する手順と、
表示部の表示面への２つの接触点を検出する手順と、
前記２つの接触点間の距離を測定する手順と、
前記２つの接触点のうちいずれかの接触点が移動したことに応じて前記ページをめくる手順と、
前記移動した接触点が停止したことに応じて前記ページをめくることを停止する手順と、
前記２つの接触点のうち前記停止した接触点と異なる接触点が移動したことに応じて、前記接触点が停止する前のめくり速度と異なるめくり速度で前記ページをめくる手順と
を含み、
前記めくり速度は、前記２つの接触点間の距離に基づいて決定され、単位時間当たりにめくられる前記ページの数である、表示制御方法。
【発明の詳細な説明】
【技術分野】
【０００１】
本発明は、複数のページを表示する表示装置、画像形成装置、及び表示制御方法に関する。
【背景技術】
【０００２】
特許文献１に記載の携帯端末では、１つの画像ファイル（ページ）がタッチパネルに表示されているときに、タッチパネルが１本の指を用いたフリック操作を検出すると、１ファイル分移動した画像ファイルが表示される。一方、タッチパネルが３本の指を用いたフリック操作を検出すると、３ファイル分移動した画像ファイルが表示される。
【０００３】
特許文献２に記載の電子ブック装置では、電子書籍を構成するページ及び小口画像を表示する。電子ブック装置は、小口画像に対する所定の操作を受け付け、受け付けた所定の操作に基づいて変更ページ情報を特定する。小口画像に対する所定の操作は、例えばスライド操作であり、電子ブック装置は、スライド操作の位置と速度とに応じて変更ページ情報を特定する。
【先行技術文献】
【特許文献】
【０００４】
【特許文献１】特開２０１１−１７０６０３号公報
【特許文献２】特開２０１２−０８８８０１号公報
【発明の概要】
【発明が解決しようとする課題】
【０００５】
しかしながら、特許文献１に記載の携帯端末では、目的の画像ファイルが表示中の画像ファイルから何ファイル分先か又は後かをユーザーが把握していない場合は、ユーザーは、やみくもに画像ファイルを表示させることになり、目的の画像ファイルを捜す際の負担は大きい。しかも、移動可能な画像ファイルの数は、指の数（５本）に制限される。従って、５ファイルを超える移動を行う場合、ユーザーには、繰り返し操作が要求され、目的の画像ファイルを捜す際の負担が一層増大する。
【０００６】
また、特許文献２に記載の電子ブック装置では、ユーザーは、小口画像の表示された位置で所定の操作を行わなければならない。さらに、電子ブック装置は、ユーザーが電子書籍のページをめくるときに、実空間に存在する書籍のページをめくるように指で小口を押さえつつページをめくるような操作感を提供することができない。
【０００７】
本発明は、上記課題に鑑みてなされたものであり、実空間に存在する書籍のページをめくるような操作感をユーザーに提供しつつ電子書籍の複数のページの中から目的のページを捜す際のユーザーの負担を軽減できる表示装置、画像形成装置、及び表示制御方法を提供することを目的としている。
【課題を解決するための手段】
【０００８】
本発明の第１の観点によれば、表示装置は、表示部と、検出部と、接触点測定部と、表示制御部とを備える。表示部は、電子書籍の複数のページを表示する。検出部は、前記表示部の表示面への２つの接触点を検出する。接触点測定部は、２つの接触点間の距離を測定する。表示制御部は、前記２つの接触点のうちいずれかの接触点が移動したことに応じて前記ページをめくり、前記移動した接触点が停止したことに応じて前記ページをめくることを停止する。表示制御部は、前記２つの接触点のうち前記停止した接触点と異なる接触点が移動したことに応じて、前記接触点が停止する前のめくり速度と異なるめくり速度で前記ページをめくる。めくり速度は、前記２つの接触点間の距離に基づいて決定され、単位時間当たりにめくられる前記ページの数である。
【０００９】
本発明の第２の観点によれば、画像形成装置は、本発明の第１の観点に係る表示装置と画像形成部とを備える。画像形成部は、前記複数のページのうち選択されたページの画像をシートに形成する。
【００１０】
本発明の第３の観点によれば、表示制御方法は、電子書籍の複数のページを表示する手順と、前記表示部の表示面への２つの接触点を検出する手順と、前記２つの接触点間の距離を測定する手順と、前記２つの接触点のうちいずれかの接触点が移動したことに応じて前記ページをめくる手順と、前記移動した接触点が停止したことに応じて前記ページをめくることを停止する手順と、前記２つの接触点のうち前記停止した接触点と異なる接触点が移動したことに応じて、前記接触点が停止する前のめくり速度と異なるめくり速度で前記ページをめくる手順とを含む。前記めくり速度は、前記２つの接触点間の距離に基づいて決定され、単位時間当たりにめくられる前記ページの数である。
【発明の効果】
【００１１】
本発明によれば、接触点の移動に応じてページがめくられ、停止した接触点と異なる接触点の移動に応じてめくり速度が変更される。従って、ユーザーは、表示面上で指を動かしてページをめくり、表示面上で使用する指を変更することによってめくり速度を変更できる。その結果、実空間に存在する書籍のページをめくるような操作感をユーザーに提供しつつ電子書籍の複数のページの中から目的のページを捜す際のユーザーの負担を軽減できる。
【図面の簡単な説明】
【００１２】
【図１】本発明の実施形態１に係る表示装置を示すブロック図である。
【図２】（ａ）（ｂ）本発明の実施形態１に係る表示装置が実行するページめくり及び表示装置の操作手順の要旨を説明する図である。
【図３】（ａ）〜（ｅ）本発明の実施形態１に係る表示装置が実行するページめくり及び表示装置の操作手順を説明する図である。
【図４】本発明の実施形態１に係る表示装置が実行する表示制御方法の前段を示すフローチャートである。
【図５】本発明の実施形態１に係る表示装置が実行する表示制御方法の中段を示すフローチャートである。
【図６】本発明の実施形態１に係る表示装置が実行する表示制御方法の後段を示すフローチャートである。
【図７】本発明の実施形態２に係る画像形成装置を示すブロック図である。
【発明を実施するための形態】
【００１３】
以下、本発明の実施形態について、図面を参照しながら説明する。なお、図中、同一または相当部分については同一の参照符号を付して説明を繰り返さない。
【００１４】
（実施形態１）
［基本原理］
図１及び図２を参照して、本発明の実施形態１に係る表示装置１０の基本原理を説明する。図１は、表示装置１０を示すブロック図である。図２（ａ）及び図２（ｂ）は、表示装置１０が実行するページめくり及び表示装置１０の操作手順の要旨を説明する図である。表示装置１０は、制御部１１０と、表示部２１０と、検出部としてのタッチパネル２２０とを備える。制御部１１０は、表示制御部１００と、接触点測定部１０１とを含む。
【００１５】
表示部２１０は、電子書籍２０の複数のページＰを表示する。タッチパネル２２０は、表示部２１０の表示面への接触点Ｔ１０及び接触点Ｔ１２（２つの接触点）を検出する。接触点測定部１０１は、接触点Ｔ１０から接触点Ｔ１２までの距離を測定する。表示制御部１００は、接触点Ｔ１０及び接触点Ｔ１２のうちいずれかの接触点（図２（ａ）では接触点Ｔ１０）が移動したこと（矢印Ａ１０参照）に応じてページＰをめくる（矢印Ｃ１参照）。表示制御部１００は、移動した接触点Ｔ１０が停止したことに応じてページＰをめくることを停止する。なお、複数のページＰは、画像群であってもよい。
【００１６】
表示制御部１００は、接触点Ｔ１０及び接触点Ｔ１２のうち停止した接触点Ｔ１０と異なる接触点Ｔ１２が移動したこと（矢印Ａ１２参照）に応じて、接触点Ｔ１０が停止する前のめくり速度Ｖ１０と異なるめくり速度Ｖ１２でページＰをめくる。めくり速度Ｖ１０及びめくり速度Ｖ１２の各々は、２つの接触点間の距離、つまり、接触点Ｔ１０と接触点Ｔ１２との間の距離に基づいて決定され単位時間当たりにめくられるページＰの数である。
【００１７】
例えば、接触点Ｔ１０と接触点Ｔ１２との間の距離が大きい程、めくり速度Ｖ１０及びめくり速度Ｖ１２の各々は大きな値に決定され、接触点Ｔ１０と接触点Ｔ１２との間の距離が小さい程、めくり速度Ｖ１０及びめくり速度Ｖ１２の各々は小さな値に決定される。ただし、接触点Ｔ１０と接触点Ｔ１２との間の距離が大きい程、めくり速度Ｖ１０及びめくり速度Ｖ１２の各々が小さな値に決定され、接触点Ｔ１０と接触点Ｔ１２との間の距離が小さい程、めくり速度Ｖ１０及びめくり速度Ｖ１２の各々が大きな値に決定されてもよい。
【００１８】
例えば、異なるめくり速度Ｖ１２は、接触点Ｔ１０が停止する前のめくり速度Ｖ１０より小さいことが好ましい。ただし、異なるめくり速度Ｖ１２は、接触点Ｔ１０が停止する前のめくり速度Ｖ１０より速くてもよい。
【００１９】
本実施形態１によれば、接触点Ｔ１０又は接触点Ｔ１２の移動に応じてページＰがめくられ、停止した接触点Ｔ１０と異なる接触点Ｔ１２の移動に応じてめくり速度Ｖ１０からめくり速度Ｖ１２へ変更される。従って、ユーザーは、表示部２１０の表示面上で指を動かすことでページＰをめくり、表示部２１０の表示面上で使用する指を変更することによってめくり速度を変更できる。その結果、実空間に存在する書籍のページをめくるような操作感をユーザーに提供しつつ電子書籍２０の複数のページＰの中から目的のページを捜す際のユーザーの負担を軽減できる。
【００２０】
［閲覧モード及び検索モードの概要］
図１及び図３を参照して、閲覧モード及び検索モードについて説明する。図３（ａ）〜図３（ｅ）は、表示装置１０が実行するページめくり及び表示装置１０の操作手順を説明する図である。以下、本実施形態１において、複数のページＰを含む電子書籍２０を例に挙げて説明する。なお、各ページＰには情報が含まれる。情報は、例えば、文字、数字、記号、図形、絵、写真、テキスト、又は画像である。
【００２１】
表示制御部１００は閲覧モード及び検索モードを有する。例えば、複数の電子書籍から１つの電子書籍２０を選択すると、初期状態の閲覧モードにおいて、選択された電子書籍２０の表紙又は最初のページＰが表示される。図３（ａ）及び図３（ｅ）に示すように、閲覧モードにおいて、表示部２１０には、複数のページＰから選択されたページＰが表示面に対して平行な状態で表示される（平行状態でのページＰの表示）。従って、ユーザーは、ページＰに含まれる情報の閲覧又は注視が容易になる。
【００２２】
一方、図３（ｂ）〜図３（ｄ）に示すように、検索モードにおいて、表示部２１０には、複数のページＰ、つまり、電子書籍２０が起立した状態で表示される。図３（ｃ）及び図３（ｄ）に示すように、検索モードにおいて、表示制御部１００は、ページＰをめくる制御を実行する。検索モードでは、電子書籍２０が起立した状態で表示されるため、めくられるページＰは傾斜した状態で表示される（傾斜状態でのページＰの表示）。ユーザーは、ページＰに含まれる情報を視認しながら、ページＰをめくり、目的のページＰを捜すことができる。
【００２３】
［閲覧モード及び検索モードの詳細］
図２及び図３を参照して、閲覧モード及び検索モードの詳細を説明する。詳細な説明に先立って、図２及び図３に示されるＸＹ座標系を説明する。Ｘ軸は表示部２１０の表示面の長辺と平行であり、Ｙ軸は表示部２１０の表示面の短辺と平行である。ユーザーは、右手の親指Ｆ１と人差し指Ｆ２とを使用してタッチパネル２２０を操作する。従って、２つの接触点がタッチパネル２２０によって検出される。
【００２４】
接触点は位置座標（Ｘ，Ｙ）によって表される。本実施形態１において、接触点Ｔ１０と接触点Ｔ１２との間の距離は、（（（接触点Ｔ１０のＸ座標）−（接触点Ｔ１２のＸ座標））2＋（（接触点Ｔ１０のＹ座標）−（接触点Ｔ１２のＹ座標））2）1/2である。ただし、接触点Ｔ１０と接触点Ｔ１２との間の距離を、｜（接触点Ｔ１０のＸ座標）−（接触点Ｔ１２のＸ座標）｜としてもよいし、｜（接触点Ｔ１０のＹ座標）−（接触点Ｔ１２のＹ座標）｜としてもよい。
【００２５】
接触点の移動量は、接触点の移動ベクトルのＸ成分の大きさである。ただし、接触点の移動量は、接触点の移動ベクトルの大きさ（Ｘ2＋Ｙ2）1/2であってもよい。本実施形態１において接触点の移動方向は、接触点の移動ベクトルのＸ成分の向きである。
【００２６】
図３（ａ）に示すように、初期状態では、モードは閲覧モードである。初期状態の閲覧モードでは、複数のページＰから第１ページに対応するページＰが選択される。選択は表示制御部１００により実行される。そして、表示部２１０には、選択されたページＰが表示される。ページＰは、表示面に対して平行な状態で表示される。ユーザーはタッチパネル２２０にタッチしていない。従って、タッチパネル２２０は、接触点を検出していない。
【００２７】
ユーザーは、親指Ｆ１と人差し指Ｆ２とでタッチパネル２２０をタッチする。従って、閲覧モードにおいて、タッチパネル２２０は、親指Ｆ１に対応する接触点Ｔ１０及び人差し指Ｆ２に対応する接触点Ｔ１２を検出する。接触点測定部１０１は、接触点Ｔ１０と接触点Ｔ１２との間の距離を測定する。表示制御部１００は、接触点Ｔ１０と接触点Ｔ１２との間の距離に基づいて、めくり速度Ｖ１０及びめくり速度Ｖ１２を決定する。表示制御部１００は、閲覧モードにおいてタッチパネル２２０が２つの接触点Ｔ１０及び接触点Ｔ１２を検出したことに応じて、モードを閲覧モードから検索モードへ切り替える。
【００２８】
図３（ｂ）に示すように、検索モードへの切り換えに応じて、表示部２１０には、電子書籍２０が起立した状態で表示される。初期状態の閲覧モードから検索モードへの移行では、電子書籍２０は閉じた状態で表示される。つまり、小口２２は表示されるが、各ページＰに含まれる情報は表示されない。
【００２９】
表示制御部１００は、接触点Ｔ１０及び接触点Ｔ１２のうち先に動いた接触点に対応してページＰをめくるための制御を実行する。接触点Ｔ１０が接触点Ｔ１２より先に動く例を挙げる。図３（ｃ）に示すように、ユーザーは、人差し指Ｆ２を静止させたまま、矢印Ａ１０が示す方向に親指Ｆ１をスライドさせる。従って、タッチパネル２２０は、親指Ｆ１に対応する接触点Ｔ１０の移動を検出する。
【００３０】
表示制御部１００は、検索モードにおいてタッチパネル２２０が検出した接触点Ｔ１０の移動方向（矢印Ａ１０が示す方向）に応じためくり方向（矢印Ｃ１が示す方向）に向かってめくり速度Ｖ１０でページＰをめくる。この場合、表示制御部１００は、接触点Ｔ１０が移動している間、連続してページＰをめくる。ページＰのめくり方向は接触点Ｔ１０の移動方向と逆である。例えば、めくり方向（矢印Ｃ１が示す方向）は、複数のページＰの末尾のページＰに向かう方向である。検索モードでは、めくられるページＰは、表示面に対して傾斜した状態で表示される。
【００３１】
表示制御部１００は、接触点Ｔ１０及び接触点Ｔ１２のうち、先に動いた接触点が静止した後、異なる接触点の移動に対応してページＰをめくるための制御を実行する。引き続き、接触点Ｔ１０が静止した後、接触点Ｔ１２が動く例を挙げる。
【００３２】
ユーザーは、親指Ｆ１を静止させる。従って、タッチパネル２２０は、親指Ｆ１に対応する接触点Ｔ１０の静止を検出する。表示制御部１００は、タッチパネル２２０が静止した接触点Ｔ１０を検出したことに応じて、ページＰをめくることを停止する。
【００３３】
そして、図３（ｄ）に示すように、ユーザーは、親指Ｆ１を静止させたまま、矢印Ａ１２が示す方向に人差し指Ｆ２をスライドさせる。従って、タッチパネル２２０は、人差し指Ｆ２に対応する接触点Ｔ１２の移動を検出する。
【００３４】
表示制御部１００は、検索モードにおいてタッチパネル２２０が検出した接触点Ｔ１２の移動方向（矢印Ａ１２が示す方向）に応じためくり方向（矢印Ｃ２が示す方向）に向かってめくり速度Ｖ１２でページＰをめくる。この場合、表示制御部１００は、接触点Ｔ１２が移動している間、連続してページＰをめくる。めくり速度Ｖ１２は、接触点Ｔ１０の移動に対応するめくり速度Ｖ１０より小さい。ページＰのめくり方向は接触点Ｔ１２の移動方向と逆である。例えば、めくり方向（矢印Ｃ２が示す方向）は、複数のページＰの先頭のページＰに向かう方向である。検索モードでは、めくられるページＰは、表示面に対して傾斜した状態で表示される。
【００３５】
本実施形態１では、接触点Ｔ１０及び接触点Ｔ１２のうち先に移動した接触点Ｔ１０に対応するめくり速度Ｖ１０を後に移動した接触点Ｔ１２に対応するめくり速度Ｖ１２よりも大きい値に設定する。
【００３６】
ユーザーは、目的のページＰを捜し出した場合、タッチパネル２２０から親指Ｆ１及び人差し指Ｆ２を離す。つまり、ユーザーは、タッチパネル２２０から手を離す。従って、検索モードにおいて、タッチパネル２２０は、接触点Ｔ１０及び接触点Ｔ１２を検出した状態から接触点Ｔ１０及び接触点Ｔ１２を検出しない状態への遷移を検出する。
【００３７】
表示制御部１００は、検索モードにおいてタッチパネル２２０が２つの接触点Ｔ１０及び接触点Ｔ１２（複数の接触点）を検出した状態から２つの接触点Ｔ１０及び接触点Ｔ１２（複数の接触点）を検出しない状態への遷移を検出したことに応じて、ページＰをめくることを停止し、モードを検索モードから閲覧モードへ切り替える。
【００３８】
図３（ｅ）に示すように、検索モードの後の閲覧モードでは、複数のページＰから、ページめくりを停止したときに開かれているページＰが選択される。選択は表示制御部１００により実行される。そして、表示部２１０には、選択されたページＰが表示される。ページＰは、表示面に対して平行な状態で表示される。
【００３９】
［表示制御方法］
図１〜図６を参照して、表示装置１０が実行する表示制御方法について説明する。図４、図５及び図６は、表示制御方法を示すフローチャートである。
【００４０】
ステップＳ１において、表示制御部１００は、モードを閲覧モードに設定する。ステップＳ３において、表示部２１０は、表示制御部１００の制御を受けて、複数のページＰから選択されたページＰを表示面に対して平行な状態で表示する。例えば、選択されたページＰは第１ページである。
【００４１】
ステップＳ５において、表示制御部１００は、タッチパネル２２０が２つの接触点Ｔ１０及び接触点Ｔ１２を検出したか否かを判定する。ステップＳ５においてＮＯの場合、処理はステップＳ５を繰り返す。ステップＳ５においてＹＥＳの場合、処理はステップＳ４１に進む。この場合、タッチパネル２２０は２つの接触点Ｔ１０及び接触点Ｔ１２を検出している。
【００４２】
ステップＳ４１において、接触点測定部１０１は、２つの接触点間の距離、つまり、接触点Ｔ１０と接触点Ｔ１２との間の距離を測定する。ステップＳ４３において、表示制御部１００は、接触点Ｔ１０と接触点Ｔ１２との間の距離に基づいて、めくり速度Ｖ１０及びめくり速度Ｖ１２を決定し、処理は図５のステップＳ７に進む。以下、図５を参照して表示制御方法について説明する。
【００４３】
ステップＳ７において、表示制御部１００は、モードを閲覧モードから検索モードへ切り替える。ステップＳ９において、表示部２１０は、表示制御部１００の制御を受けて、複数のページＰを表示する。具体的には、表示部２１０は、複数のページＰを起立した状態で表示する。
【００４４】
ステップＳ１１において、表示制御部１００は、タッチパネル２２０が接触点Ｔ１０及び接触点Ｔ１２のうちいずれかの接触点の移動を検出したか否かを判定する。ステップＳ１１においてＹＥＳの場合、処理はステップＳ１３に進む。ステップＳ１１においてＮＯの場合、処理は図６のステップＳ２７に進む。ステップＳ２７については後述する。
【００４５】
ステップＳ１３において、表示制御部１００は、ステップＳ１１で移動したと判定した接触点が先に移動した接触点か否かを判定する。ステップＳ１３においてＹＥＳの場合、処理はステップＳ１５に進む。ステップＳ１５において、表示制御部１００は、ページＰのめくり速度をめくり速度Ｖ１０に設定する。
【００４６】
一方、ステップＳ１３においてＮＯの場合、処理はステップＳ１７に進む。ステップＳ１７において、表示制御部１００は、ページＰのめくり速度をめくり速度Ｖ１２に設定する。めくり速度Ｖ１２はめくり速度Ｖ１０より小さい。
【００４７】
ステップＳ１９において、表示制御部１００は、接触点の移動方向に応じてページＰのめくり方向を決定し、処理は図６のステップＳ２１に進む。以下、図６を参照して表示制御方法について説明する。
【００４８】
ステップＳ２１において、表示制御部１００は、図５のステップＳ１５で設定しためくり速度Ｖ１０又は図５のステップＳ１７で設定しためくり速度Ｖ１２で、図５のステップＳ１９で決定しためくり方向に向かってページＰをめくる。つまり、表示制御部１００は、２つの接触点Ｔ１０及び接触点Ｔ１２のうちいずれかの接触点が移動したことに応じてページＰをめくる。
【００４９】
ステップＳ２３において、表示制御部１００は、接触点が停止したか否かを判定する。ステップＳ２３においてＮＯの場合、処理はステップＳ２１に進む。従って、接触点が移動している間、ページＰがめくられる。一方、ステップＳ２３においてＹＥＳの場合、処理はステップＳ２５に進む。ステップＳ２５において、表示制御部１００は、ページＰをめくることを停止する。つまり、表示制御部１００は、移動した接触点が停止したことに応じてページＰをめくることを停止する。
【００５０】
なお、表示制御部１００は、接触点Ｔ１０及び接触点Ｔ１２のうち停止した接触点と異なる接触点が移動したことに応じて（図５のステップＳ１３でＮＯ）、接触点が停止する前のめくり速度Ｖ１０と異なるめくり速度Ｖ１２でページＰをめくる（図５のステップＳ１７及び図６のステップＳ２１）。
【００５１】
ステップＳ２７において、表示制御部１００は、接触点Ｔ１０及び接触点Ｔ１２が消失したか否か、つまり、タッチパネル２２０が２つの接触点Ｔ１０及び接触点Ｔ１２を検出した状態から接触点Ｔ１０及び接触点Ｔ１２を検出しない状態への遷移を検出したか否かを判定する。ステップＳ２７においてＮＯの場合、処理は図５のステップＳ１１に進む。ステップＳ２７においてＹＥＳの場合、処理はステップＳ２９に進む。
【００５２】
ステップＳ２９において、表示制御部１００は、モードを検索モードから閲覧モードへ切り替える。ステップＳ３１において、表示部２１０は、表示制御部１００の制御を受けて、複数のページＰから選択されたページＰを表示面に対して平行な状態で表示する。選択されたページＰは、ページＰが停止したときに開かれていたページＰである。
【００５３】
以上、図１〜図６を参照して説明したように、本実施形態１によれば、接触点Ｔ１０又は接触点Ｔ１２の移動に応じてページＰがめくられる。そして、先に移動した接触点Ｔ１０と異なる接触点Ｔ１２の移動に応じてめくり速度が小さくなる（速度Ｖ１０＞速度Ｖ１２）。従って、ユーザーは、表示面上で親指Ｆ１を動かして、大きいめくり速度で目的のページＰの近傍を捜し（大まかな検索の実行）、小さいめくり速度で目的のページＰを特定することができる（ピンポイントでの検索の実行）。その結果、目的のページＰを捜す際のユーザーの負担を軽減できる。
【００５４】
また、本実施形態１によれば、表示制御部１００は、先に移動して停止した接触点Ｔ１０と異なる接触点Ｔ１２が移動したことに応じて、接触点Ｔ１０が停止する前のめくり方向と異なるめくり方向にページＰをめくる（図３（ｃ）及び図３（ｄ）参照）。従って、ユーザーは、表示面上で指を動かしてページＰをめくり、表示面上で使用する指を変更することによってめくり方向を変更できる。その結果、電子書籍２０の複数のページＰの中から目的のページを捜す際のユーザーの負担をさらに軽減できる。
【００５５】
さらに、本実施形態１によれば、閲覧モードにおいて接触点Ｔ１０及び接触点Ｔ１２が検出されたことに応じて、モードが検索モードへ切り替えられる（図３（ａ）及び図３（ｂ）参照）。従って、ユーザーは、表示部２１０の表示面を複数の指でタッチするだけで、モードを検索モードへ切り替えることができる。そして、ユーザーは、表示部２１０の表示面をタッチしつつ指を移動させることでページＰをめくることができる。その結果、ユーザーは、ページＰを閲覧又は注視する状態からページＰを捜す状態に簡易に移行できる。
【００５６】
さらに、本実施形態１によれば、検索モードにおいて接触点Ｔ１０及び接触点Ｔ１２が消失したことに応じて、モードが閲覧モードへ切り替えられる（図３（ｄ）及び図３（ｅ）参照）。従って、ユーザーは目的のページＰを捜したときに表示部２１０の表示面から複数の指を離すだけで（非タッチ）、ページＰをめくることを停止できると伴に、ページＰを傾斜状態から平行状態に変更できる。その結果、ユーザーは、簡易な操作によって、ページＰを閲覧又は注視し易い状態で表示させることができる。
【００５７】
さらに、本実施形態１によれば、２つの接触点Ｔ１０及び接触点Ｔ１２によってページＰのめくりを制御する。従って、ユーザーは２本の指でページＰのめくりを制御できる。その結果、ユーザーは、電子書籍２０のページＰをめくる際に、実空間に存在する書籍のページをめくるような操作感を得ることができる。
さらに、実施形態１によれば、接触点Ｔ１０と接触点Ｔ１２との間の距離に基づいてめくり速度Ｖ１０及びめくり速度Ｖ１２が決定される。従って、ユーザーは、直感的にページＰのめくり速度を決定できる。その結果、ユーザーは、電子書籍２０のページをめくる際に、実空間に存在する書籍のページをめくるような操作感をさらに得ることができる。
【００５８】
（実施形態２）
図１、及び図７を参照して、本発明の実施形態２に係る画像形成装置５００について説明する。図７は、画像形成装置５００を示すブロック図である。
【００５９】
画像形成装置５００は、制御部１１０、記憶部１２０、原稿搬送部２３０、画像読取部２４０、タッチパネル２２０、表示部２１０、給紙部２５０、搬送部２６０、画像形成部２７０、及び定着部２８０を備える。記憶部１２０は、主記憶装置（例えば、半導体メモリー）及び補助記憶装置（例えば、半導体メモリー、又はハードディスクドライブ）を含む。
【００６０】
制御部１１０は、画像形成装置５００の構成の全体を制御する。具体的には、制御部１１０が、記憶部１２０に格納されたコンピュータープログラムを実行することにより、原稿搬送部２３０、画像読取部２４０、タッチパネル２２０、表示部２１０、給紙部２５０、搬送部２６０、画像形成部２７０、及び定着部２８０を制御する。制御部１１０は、例えば、ＣＰＵ（Ｃｅｎｔｒａｌ  Ｐｒｏｃｅｓｓｉｎｇ  Ｕｎｉｔ）である。タッチパネル２２０は、表示部２１０の表示面上に配置される。
【００６１】
制御部１１０は、実施形態１に係る制御部１１０の機能を包含する。従って、制御部１１０、表示部２１０、及びタッチパネル２２０は、実施形態１に係る表示装置１０を構成する。記憶部１２０は、複数のページＰ（例えば、電子書籍２０、又は画像群）に対応する画像データを記憶する。
【００６２】
原稿搬送部２３０は、画像読取部２４０に向けて原稿を搬送する。画像読取部２４０は、原稿の画像を読み取って画像データを生成する。給紙部２５０は、給紙カセット及び手差しトレイを含む。給紙カセットはシートを積載する。シートは、例えば、普通紙、再生紙、薄紙、厚紙、又はＯＨＰ（Ｏｖｅｒｈｅａｄ  Ｐｒｏｊｅｃｔｏｒ）シートである。
【００６３】
搬送部２６０は、画像形成部２７０にシートを搬送する。画像形成部２７０は、複数のページＰから選択されたページＰの画像をシートに形成する。ページＰの選択は、タッチパネル２２０を介したユーザーの指示を受けて、制御部１１０が実行する。定着部２８０は、シートに形成された画像をシートに定着させる。
【００６４】
以上、図１、及び図７を参照して説明したように、本実施形態２によれば、図１〜図６を参照して説明した実施形態１と同様の表示装置１０を備える。従って、本実施形態２では、実施形態１と同様の効果を奏する。
【００６５】
以上、図１〜図７を参照して、実施形態１及び実施形態２が説明された。ただし、本発明は、上記の実施形態に限られるものではなく、その要旨を逸脱しない範囲で種々の態様において実施することが可能であり、例えば、以下のような変形も可能である。
【００６６】
（１）実施形態１では、接触点が移動したと判定されたことに応じてページＰがめくられた（図５のステップＳ１１及び図６のステップＳ２１参照）。ただし、表示制御部１００は、接触点の移動量が閾値以上であると判定したことに応じてページＰをめくることもできる。その結果、ユーザーが意図しない接触点の移動によってページＰがめくられることを防止することができる。
【００６７】
（２）実施形態１では、タッチパネル２２０が２つの接触点を検出することに応じてページＰがめくられた。ただし、タッチパネル２２０が検出する接触点は２つに限定されず、３以上でもよい。従って、例えば、表示制御部１００は、異なる接触点を検出するたびに異なるめくり速度でページＰをめくることもできる。接触点ごとにページＰのめくり速度は異なる。
【００６８】
（３）実施形態１では、ページＰのめくり方向は、接触点の移動方向と逆方向であった。ただし、ページＰのめくり方向は、接触点の移動方向と同方向でもよい。例えば、接触点の移動方向が矢印Ａ１０により示される方向である場合、ページＰのめくり方向を矢印Ｃ２により示される方向にすることもできる。また、接触点の移動方向が矢印Ａ１２により示される方向である場合、ページＰのめくり方向を矢印Ｃ１により示される方向にすることもできる。
【００６９】
（４）閲覧モードにおいて、タッチパネル２２０が１つの接触点の移動を検出したことに応じて、表示制御部１００は、ページＰをめくることもできる。また、閲覧モードにおいて、平行状態で１つのページＰを表示したが、平行状態で複数のページＰ（例えば、見開きのページＰ）を表示することもできる。
【００７０】
（５）実施形態１では、初期状態のモードを閲覧モードに設定した。ただし、初期状態のモードを検索モードに設定することもできる。
【産業上の利用可能性】
【００７１】
本発明は、電子書籍の複数のページ又は画像群の複数のページを表示する表示装置、及び表示装置を搭載する画像形成装置の分野に利用可能である。
【符号の説明】
【００７２】
１０    表示装置
１００    表示制御部
１０１    接触点測定部
１１０    制御部
１２０    記憶部
２１０    表示部
２２０    タッチパネル
２３０    原稿搬送部
２４０    画像読取部
２５０    給紙部
２６０    搬送部
２７０    画像形成部
２８０    定着部
５００    画像形成装置
【図１】
2015111395.tif 000003
【図２】
2015111395.tif 000004
【図３】
2015111395.tif 000005
【図４】
2015111395.tif 000006
【図５】
2015111395.tif 000007
【図６】
2015111395.tif 000008
【図７】
2015111395.tif 000009